(57)【要約】【課題】  保存先を具体的に特定せずに、画像データを適切な保存先に送信できるようにする。【解決手段】  撮影嗜好性判定装置２４は、カメラ制御情報の履歴と、撮影された被写体の履歴から撮影嗜好性を判定する。撮影レベル判定装置２６は、カメラ制御情報の履歴から撮影レベルを判定する。コミュニティサーバ４０は、コミュニティ毎の記憶装置４２〜４８と、記憶装置４２〜４８を選択する切り替えスイッチ５２を具備する。スイッチ制御装置５０は、撮像装置１０から送信される撮影嗜好性、撮影レベル及び本体情報に従い、切り替えスイッチ５２を制御する。記録再生装置１４は、記録媒体１８に記録される撮影画像をコミュニティサーバ４０に送信する。【選択図】  図１
2009194766.tif 000002
【特許請求の範囲】
【請求項１】
撮像装置とファイルサーバとからなる通信システムであって、
前記撮像装置が、
被写体を撮像し、映像信号を出力する撮像手段と、
前記撮像手段の撮影制御情報の履歴を記録する履歴記録手段と、
前記撮影制御情報の履歴に従い、撮影者の撮影レベル及び撮影嗜好性の何れかを含む識別情報を生成する識別情報生成手段と、
前記ファイルサーバと通信する通信手段であって、前記識別情報を前記ファイルサーバに送信する通信手段
とを具備し、
前記ファイルサーバが、
複数の記憶装置と、
前記複数の記憶装置の何れか１つを前記撮像装置に接続する切り替えスイッチと、
前記識別情報を受信し、前記識別情報に応じて前記切り替えスイッチを制御するスイッチ制御手段
とを具備することを特徴とする通信システム。
【請求項２】
前記識別情報生成手段が、前記撮影制御情報の履歴に応じて前記撮影嗜好性を判定する撮影嗜好性判定手段とを有することを特徴とする請求項１に記載の通信システム。
【請求項３】
前記撮影嗜好性判定手段は、前記撮影制御情報の履歴に基づき、最大撮影頻度の撮影制御情報に応じた撮影手法を前記撮影嗜好性の撮影手法嗜好性として判定することを特徴とする請求項２記載の通信システム。
【請求項４】
前記識別情報生成手段が、前記撮像手段による映像から被写体を判定する被写体判定手段と、前記撮影制御情報の履歴及び前記被写体判定手段により判定される被写体の履歴に応じて前記撮影嗜好性を判定する撮影嗜好性判定手段を有することを特徴とする請求項１に記載の通信システム。
【請求項５】
前記撮影嗜好性判定手段は、前記撮影制御情報の履歴に基づき、最大撮影頻度の撮影制御情報に応じた撮影手法を前記撮影嗜好性の撮影手法嗜好性として判定し、前記被写体判定手段により判定される被写体情報の履歴に基づき、最大撮影頻度の被写体情報を前記撮影嗜好性の撮影被写体嗜好性として判定することを特徴とする請求項４に記載の通信システム。
【請求項６】
前記識別情報生成手段が、前記撮影制御情報の履歴に応じて前記撮影レベルを判定する撮影レベル判定手段を有することを特徴とする請求項１乃至５の何れか１項に記載の通信システム。
【請求項７】
前記撮影制御情報が、撮影のために設定された情報を含むことを特徴とする請求項６に記載の通信システム。
【請求項８】
前記撮影レベル判定手段は、マニュアル撮影からオート撮影の間でそれぞれの撮影回数に応じて前記撮影レベルを判定することを特徴とする請求項６又は７に記載の通信システム。
【請求項９】
前記スイッチ制御手段が、前記識別情報の前記撮影嗜好性と前記撮影レベルに応じた、前記複数の記憶装置の何れか１つを前記切り替えスイッチに選択させる請求項１乃至８の何れか１項に記載の通信システム。
【請求項１０】
前記識別情報が本体情報を含み、
前記スイッチ制御手段が、前記識別情報の前記撮影嗜好性、前記撮影レベル及び前記本体情報に応じた、前記複数の記憶装置の何れか１つを前記切り替えスイッチに選択させる請求項１乃至９の何れか１項に記載の通信システム。
【請求項１１】
前記本体情報は、前記撮像装置のメーカ名、機種名及び機種グレードを含むことを特徴とする請求項１０に記載の通信システム。
【請求項１２】
前記ファイルサーバがコミュニティサーバであることを特徴とする請求項１乃至１１の何れか１項に記載の通信システム。
【発明の詳細な説明】
【技術分野】
【０００１】
本発明は、通信システムに関し、特に、ユーザの撮影嗜好性及び撮影レベルに応じた撮影画像の管理を実現する通信システムに関する。
【背景技術】
【０００２】
現在、ネットワーク上において、複数のユーザ間で画像を共有する種々のシステムが存在する。例えば、ユーザはパーソナルコンピュータの通信機能を利用して、画像共有システムにアクセスし、他人が撮影した画像の閲覧又はダウンロードを行うことができる。さらに、画像共有システムにアクセスした人同士で会話をするために、文字の書き込みが出来るフォームを設置している画像共有システムもある。
【０００３】
そのような画像共有システムでは、分野ごとにユーザグループが形成されていることが一般的である。以下、このようなグループをコミュニティと呼ぶ。例えば、「植物」に興味がある人達が１つのコミュニティ（いわば、「植物コミュニティ」）を形成し、その植物コミュニティ内、「植物」に関する画像を共有したり、「植物」に関する話題をやり取りしたりすることができる。
【０００４】
デジタルカメラから画像共有システムの特定のコミュニティに画像を転送する技術が、特許文献１に記載されている。ユーザが指定するコミュニティの共有サーバに撮影画像を送信又はアップロードする機能をデジタルカメラに装備したものである。
【特許文献１】特開２００５−２８６４３８号公報
【発明の開示】
【発明が解決しようとする課題】
【０００５】
ユーザが所属する複数のコミュニティから送信先として所望の１つのコミュニティを選択するのは、カメラの既存のユーザインターフェースでは困難である。そこで、特許文献１に開示される技術では、そのためにユーザのコンピュータを介在させる。
【０００６】
本発明は、送信対象が撮影画像であるという特殊性に鑑み、簡易な手間でファイルサーバの適切な保存先に撮影画像を送信又は転送できる通信システムを提示することを目的とする。
【課題を解決するための手段】
【０００７】
本発明に係る通信システムは、撮像装置と、ファイルサーバとからなる通信システムであって、前記撮像装置が、被写体を撮像し、映像信号を出力する撮像手段と、前記撮像手段の撮影制御情報の履歴を記録する履歴記録手段と、前記撮影制御情報の履歴に従い、撮影者の撮影レベル及び撮影嗜好性の何れかを含む識別情報を生成する識別情報生成手段と、前記ファイルサーバと通信する通信手段であって、前記識別情報を前記ファイルサーバに送信する通信手段とを具備し、前記ファイルサーバが、複数の記憶装置と、前記複数の記憶装置の何れか１つを前記撮像装置に接続する切り替えスイッチと、前記識別情報を受信し、前記識別情報に応じて前記切り替えスイッチを制御するスイッチ制御手段とを具備することを特徴とする。
【発明の効果】
【０００８】
本発明によれば、複数の記憶装置の中から撮影者の撮影嗜好性や撮影レベルに応じた適切なものを選択する。これにより、複数の保存先から適した保存先を選び出す手間が省ける。
【発明を実施するための最良の形態】
【０００９】
以下、図面を参照して、本発明の実施例を詳細に説明する。
【実施例１】
【００１０】
図１は、本発明に係る通信システムの一実施例の概略構成ブロック図を示す。本実施例においては、撮像装置１０が、撮影レベルと撮影嗜好性に応じて、送信先のコミュニティを選択する。
【００１１】
本発明に係る通信システムの一実施例において、撮像装置１０は、ネットワーク６０を介してコミュニティサーバ４０に接続する。コミュニティサーバ４０は、コミュニティ毎に利用を区分された記憶装置４２，４４，４６，４８を具備する。いうまでもないが、記憶装置４２〜４８は論理的に区分されているものであり、物理的には単一又は複数の記憶装置からなってもよい。
【００１２】
撮像装置１０の構成と動作を説明する。カメラ部１２は、被写体の光学像を電気信号に変換し、被写体の映像信号を記録再生装置１４及び被写体判定装置１６に出力する。カメラ部１２はまた、カメラ制御情報（より一般的には、撮影制御情報）を撮影制御情報履歴記録手段としてのカメラ制御情報履歴記録装置２２に出力する。カメラ制御情報は例えば、ズーム値、露出値、シャッタ速度、焦点距離及び被写体距離等からなる。
【００１３】
記録再生装置１４は、カメラ部１２からの映像信号を所定形式で圧縮して記録媒体１８に記録する。後述するが、記録再生装置１４は、コミュニティサーバ４０からの画像情報を記録媒体１８に記録する機能も具備する。記録再生装置１４は、記録媒体１８に記録される画像データを圧縮形式のまま、又は伸長して出力する機能を具備する。
【００１４】
被写体判定装置１６は、映像信号に含まれる被写体の種別（例えば、人及び花及び山等）を画像認識により判別する。被写体情報履歴記録装置２０は、被写体判定装置１６によって判定された被写体種別情報をメタデータとして内蔵する記録媒体に蓄積記録する。カメラ制御情報履歴記録装置２２は、カメラ部１２のカメラ制御情報をメタデータとして内蔵する記録媒体に蓄積記録する。
【００１５】
撮影嗜好性判定装置２４は、カメラ制御情報履歴記録装置２２に記録される過去一定期間内のカメラ制御情報と、被写体情報履歴記録装置２０に記録される過去一定期間内の被写体情報とから撮影者の撮影嗜好性を判定する。撮影レベル判定装置２６は、カメラ制御情報履歴記録装置２２に記録される過去のカメラ制御情報履歴に応じて、撮影レベルを判定する。撮影レベルは、例えば、撮影の腕前を表す指標である。
【００１６】
表示装置２８は、動作モードにおいて、記録再生装置１４により記録されようとする映像、記録中の映像及び再生される映像を表示し、また、撮像装置１０の設定のためのメニュー画面等を表示する。
【００１７】
コミュニティサーバ４０の記憶装置４２，４４，４６，４８には、それぞれコミュニティＡ，Ｂ，Ｃ，Ｄの共有データが格納される。先に説明したように、コミュニティとは、趣向が似ている人達がネットワーク上で集まり、形成されたグループを示す。各コミュニティの場では、コミュニティに参加する人達が、例えば、意見を書き込みでき、画像を共有することができる。記憶装置４２，４４，４６，４８には、それぞれ、コミュニティＡ，Ｂ，Ｃ，Ｄに参加する人達が書き込んだ文字情報や画像情報等が記録されている。
【００１８】
撮像装置１０は、ネットワーク６０に接続する通信手段を具備し、撮影レベル、本体情報及び撮影嗜好性は、その通信手段を介してコミュニティサーバ４０に送信される。記録再生装置１４は、その通信手段を介してネットワーク６０に接続し、コミュニティサーバ４０との間で画像データを送受信する。
【００１９】
撮影レベル、本体情報及び撮影嗜好性は、請求項に規定される識別情報の一例である。請求項に規定される識別情報生成手段は、撮影嗜好性判定装置２４、撮影レベル判定装置２６、及び本体情報を記憶出力する手段からなる。
【００２０】
コミュニティサーバ４０は、記憶装置４２〜４８の他に、記憶装置４２〜４８を切り替える切り替えスイッチ５２と、切り替えスイッチ５２を制御するスイッチ制御装置５０を具備する。スイッチ制御装置５０は、撮影嗜好性判定装置２４による撮影嗜好性及び撮影レベル判定装置２６による撮影レベルに従い、これらに適したコミュニティの記憶装置４２〜４８を記録再生装置１４に接続するように切り替えスイッチ５２を制御する。撮像装置１０はまた、撮像装置１０の本体情報をスイッチ制御装置５０に供給する。本体情報は例えば、撮像装置１０のメーカ名、機種名及び機種グレード等のメタデータからなる。
【００２１】
図２は、カメラ部１２の概略構成ブロック図を示す。撮像レンズ７０は、被写体の光学像を撮像素子７２の撮像面に形成し、撮像素子７２は、被写体の光学像に応じた画像信号を出力する。撮像レンズ７０は、その光学ズーム値及びフォーカスを制御可能である。Ａ／Ｄ変換器７４は、撮像素子７２から出力されるアナログ画像信号をデジタル画像信号に変換する。カメラ信号処理装置７６は、Ａ／Ｄ変換器７４からのデジタル画像信号にγ補正、露出調整及びホワイトバランス等の公知のカメラ信号処理を行い、所定形式の映像信号を出力する。
【００２２】
カメラ制御装置７８は、撮像レンズ７０の光学ズーム及びフォーカスを制御する他、カメラ部１２の全体を制御し、撮影時のカメラ制御情報を出力する。カメラ制御情報は、例えば、図３に示すように、カメラ部１２を構成する各モジュールの制御データを含む。図３は、複数の撮影日に対するカメラ制御情報の例を示す。例えば、撮像レンズ７０の制御データとして、露出時間、絞り値及びフォーカス距離がある。また、カメラ制御情報には、撮影モードの情報も含まれ、撮影モードには、例えば、絞り優先モード及びポートレートモード等がある。例えば、絞り優先モードは、絞り値をユーザが手動で設定し、その他のカメラ制御が自動で行われるモードである。ポートレートモードは、人物がきれいに撮影できるように、人物撮影に適したカメラ制御を行う撮影モードである。
【００２３】
カメラ制御情報履歴記録装置２２（図１）は、カメラ制御装置７８から出力されるカメラ制御情報（図３）を、一定数だけ累積記録する。
【００２４】
図４を参照して、被写体判定装置１６及び被写体情報履歴記録装置２０の動作を説明する。図４は、被写体判定装置１６の判定結果の一例を示す。
【００２５】
被写体判定装置１６は、撮影されている被写体の種別を画像認識により判定する。画像認識には形状認識等の既知の方式を使用できるので、詳細な説明は省略する。被写体情報履歴記録装置２０は、被写体判定装置１６によって判定された被写体の種別を撮影日付毎にカウントし、被写体情報履歴として内蔵の記録媒体に記録する。図４に示す例では、２００６年１０月１０日に、被写体として「花」が５回撮影されている。２００７年１月２５日には、被写体として「人」が４回撮影されている。
【００２６】
本実施例では、被写体情報履歴として、撮影回数を記録する実施例を説明するが、例えば、動画像の場合の被写体情報履歴は、ある被写体が撮影されている時間長を積算した値等からなる。
【００２７】
図３及び図４を参照して、撮影嗜好性判定装置２４を説明する。撮影嗜好性判定装置２４は、カメラ制御情報履歴記録装置２２に記録されるカメラ制御情報の履歴（図３）及び被写体情報履歴記録装置２０に記録される被写体情報の履歴（図４）に応じて、撮影嗜好性を判定する。撮影嗜好性には、撮影手法の好みを表す撮影手法嗜好性と、撮影被写体の好みを表す撮影被写体嗜好性がある。
【００２８】
まず、カメラ制御情報履歴に応じて、撮影手法嗜好性を判定する動作を説明する。撮影嗜好性判定装置２４は、カメラ制御情報履歴記録装置２２に記録されるカメラ制御情報履歴に対して、最大撮影頻度のカメラ制御情報を算出し、そのカメラ制御情報を撮影者が好みの撮影手法であるとする。例えば、フォーカスが遠方で撮影した回数が最も多い場合、撮影嗜好性判定装置２４は、フォーカスが遠方の撮影手法を撮影者の好みであると判定し、コミュニティサーバ４０のスイッチ制御装置５０に送信する。フォーカスが遠方の撮影手法は、例えば、遠方の被写体（例えば、山などの景色）を撮影する手法である。
【００２９】
一方、フォーカスが近傍で撮影した回数が最も多い場合、撮影嗜好性判定装置２４は、フォーカスが近傍の撮影手法を撮影者の好みであると判定し、スイッチ制御装置５０に送信する。フォーカスが近傍の撮影手法は、例えば、近距離の被写体（例えば、花など）を接写する撮影手法である。
【００３０】
また、シャッタ速度が著しく遅い状態での撮影回数が最も多い場合、撮影嗜好性判定装置２４は、シャッタ速度が遅い撮影手法が撮影者の好みであると判定し、スイッチ制御装置５０に送信する。シャッタ速度が遅い撮影手法は、例えば、光量の少ない被写体（例えば、星空など）をバルブ撮影する手法である。
【００３１】
被写体情報履歴記録装置２０に記録される被写体情報履歴に応じて、撮影被写体の嗜好性を判定する例を説明する。撮影嗜好性判定装置２４は、被写体情報履歴記録装置２０に記録される被写体情報履歴に対して、最も撮影回数が多い被写体情報を算出し、その被写体情報を撮影者が好みの撮影被写体とする。例えば、最も撮影回数が多い被写体が「花」である場合、撮影嗜好性判定装置２４は、「花」という撮影被写体が好みであると判定し、好みの撮影被写体として「花」を示す情報をスイッチ制御装置５０に送信する。
【００３２】
図５及び図６を参照して、撮影レベル判定装置２６の役割と動作を説明する。撮影レベル判定装置２６は、マニュアル撮影からオート撮影の間でそれぞれの撮影回数に応じて撮影レベルを判定する。図５は、撮影レベル判定装置２６の動作フローチャートを示す。図６は、撮影レベル判定装置２６により判定された撮影レベルの表示例である。
【００３３】
撮影レベル判定装置２６は、カメラ制御情報履歴記録装置２２に記録されるカメラ制御情報履歴を取り込む（Ｓ１）。取り込んだカメラ制御情報履歴から、マニュアルモードでの撮影頻度を解析する（Ｓ２）。マニュアルモードでの撮影回数がある所定値よりも多い場合（Ｓ２）、撮影レベルが「上級」相当であると判定し（Ｓ３）、この判定結果をスイッチ制御装置５０に送信する。
【００３４】
マニュアルモードでの撮影回数がある所定値よりも少ない場合（Ｓ２）、オート、若しくは、絞り優先又はシャッタ速度優先等のセミオートの撮影モードでの撮影頻度を解析する（Ｓ４）。これらオート又はセミオートの撮影モードでの撮影回数がある所定値よりも多い場合（Ｓ４）、撮影レベルが「中級」相当であると判定し（Ｓ５）、この判定結果をスイッチ制御装置５０に送信する。
【００３５】
オート又はセミオートの撮影モードでの撮影回数がある所定値よりも少ない場合（Ｓ４）、撮影回数自体を解析する（Ｓ６）。撮影回数がある所定値よりも多い場合（Ｓ６）、撮影レベルが「初級」相当であると判定し（Ｓ７）、この判定結果をスイッチ制御装置５０に送信する。撮影回数がある所定値よりも少ない場合（Ｓ６）、撮影レベルが「入門」相当であると判定し（Ｓ８）、この判定結果をスイッチ制御装置５０に送信する。
【００３６】
撮影レベル判定装置２６により判定された撮影レベルを撮影者が確認できるように、図６に示すような撮影レベルを示す撮影レベルメータを表示装置２８に表示してもよい。また、撮影レベルが変化した場合にこの撮影レベルメータを表示し、撮影者に確認させるようにしてもよい。
【００３７】
撮影レベルに関して、撮像装置のグレードを加味しても良い。例えば、一眼カメラ等の上級機では、全体的に上級寄りに判定し、コンパクトカメラ等の初級機では、全体的に初級寄りに判定する。
【００３８】
撮影嗜好性判定装置２４及び撮影レベル判定装置２６は、カメラ制御情報履歴及び被写体情報履歴には日付情報が含まれる。そこで、撮影嗜好性判定装置２４は、ある期間に限定したカメラ制御情報履歴に応じて、撮影嗜好性を判定してもよい。同様に、撮影レベル判定装置２６もまた、ある期間に限定したカメラ制御情報履歴及び被写体情報履歴に応じて、撮影レベルを判定してもよい。撮影嗜好性判定装置２４及び撮影レベル判定装置２６の判定対象期間は、互いに異なっても良いが、同じ方が統一的な処理になる。例えば、過去１年間のカメラ制御情報履歴及び被写体情報履歴に応じて、撮影嗜好性及び撮影レベルを判定する。
【００３９】
なお、被写体情報履歴記録装置２０に記録される被写体情報履歴及びカメラ制御情報履歴記録装置２２に記録されるカメラ制御情報履歴は、撮影が行われる毎に、それぞれに内蔵される記憶装置に追加的に蓄積される。その結果、撮影嗜好性判定装置２４により判定される撮影嗜好性及び撮影レベル判定装置２６により判定される撮影レベルは、撮影が行われる毎に変化する可能性がある。
【００４０】
複数人が同じ撮像装置を使用する場合、瞳、指紋、指静脈又は顔認識等の周知のユーザ認証方法で個々のユーザを識別し、ユーザ毎に、撮影画像、撮影嗜好性及び撮影レベルを管理すれば良い。図７は、４人のユーザが同一の撮像装置を使用する場合の、撮影嗜好性及び撮影レベルの判定結果例を示す。図７に示す例では、次郎さんの撮影手法嗜好性は「オート」であり、撮影被写体嗜好性は「人」であり、撮影レベルは、入門である。また、花子さんの撮影手法嗜好性は「フォーカス近傍」であり、撮影被写体嗜好性は「花」であり、撮影レベルは、初級である。
【００４１】
コミュニティサーバ４０のスイッチ制御装置５０は、ネットワーク６０を介して接続する撮像装置１０から撮影嗜好性及び撮影レベルの情報を受信し、撮影嗜好性及び／又は撮影レベルに適合するコミュニティを選択する。コミュニティの選択に応じて、スイッチ制御装置５０は、選択したコミュニティの記憶装置４２〜４８を撮像装置１０の記録再生装置１４に接続するように切り替えスイッチ５２を制御する。
【００４２】
図８は、撮影手法嗜好性、撮影被写体嗜好性及び撮影レベルにそれぞれ応じたコミュニティＡ，Ｂ，Ｃ，Ｄの分類例を示す。
【００４３】
図８（ａ）は、撮影手法嗜好性に着目したコミュニティＡ，Ｂ，Ｃ，Ｄの分類例を示す。図８（ａ）に示す例では、コミュニティＡ（記憶装置４２）が、「フォーカス遠方」のコミュニティに割り当てられている。コミュニティＢ（記憶装置４４）が、「フォーカス近傍」のコミュニティに割り当てられている。コミュニティＣ（記憶装置４６）が、「絞り値小」コミュニティに割り当てられている。コミュニティＤ（記憶装置４８）が、「オート撮影」のコミュニティに割り当てられている。
【００４４】
スイッチ制御装置５０は、撮影嗜好性判定装置２４からの撮影手法嗜好性に適合するコミュニティを選択し、選択したコミュニティの記憶装置を撮像装置１０に接続するように切り替えスイッチ５２を制御する。図８（ａ）に示す例では、撮影手法嗜好性が「フォーカス近傍」であった場合、切り替えスイッチ５２は、記憶装置４４（コミュニティＢ）を選択する。
【００４５】
図８（ｂ）は、撮影被写体嗜好性に応じたコミュニティＡ，Ｂ，Ｃ，Ｄの分類例を示す。図８（ｂ）に示す例では、コミュニティＡ（記憶装置４２）が「花」のコミュニティに割り当てられている。コミュニティＢ（記憶装置４４）が、「空」のコミュニティに割り当てられている。コミュニティＣ（記憶装置４６）が、「山」のコミュニティに割り当てられている。コミュニティＤ（記憶装置４８）が、「人」のコミュニティに割り当てられている。
【００４６】
スイッチ制御装置５０は、撮影嗜好性判定装置２４からの撮影手法嗜好性に適合するコミュニティを選択し、選択したコミュニティの記憶装置を撮像装置１０に接続するように切り替えスイッチ５２を制御する。図８（ｂ）に示す例では、撮影被写体嗜好性が、「人」であった場合、切り替えスイッチ５２は、記憶装置４８（コミュニティＤ）を選択する。
【００４７】
図８（ｃ）は、撮影被レベルに応じたコミュニティＡ，Ｂ，Ｃ，Ｄの分類例を示す。図８（ｃ）に示す例では、コミュニティＡ（記憶装置４２）が、「入門」のコミュニティに割り当てられている。コミュニティＢ（記憶装置４４）が、「初級」のコミュニティに割り当てられている。コミュニティＣ（記憶装置４６）が、「中級」のコミュニティに割り当てられている。コミュニティＤ（記憶装置４８）が、「上級」のコミュニティに割り当てられている。
【００４８】
スイッチ制御装置５０は、撮影レベル判定装置２６からの撮影レベルに適合するコミュニティを選択し、選択したコミュニティの記憶装置を撮像装置１０に接続するように切り替えスイッチ５２を制御する。図８（ｃ）に示す例では、撮影レベルが、「中級」であった場合、切り替えスイッチ５２は、記憶装置４８（コミュニティＣ）を選択する。
【００４９】
スイッチ制御装置５０は、撮影嗜好性と撮影レベルだけではなく、撮像装置１０の機種に応じてコミュニティを選択してもよい。例えば、「カメラＡ」と「カメラＢ」という撮像装置の機種毎のコミュニティが存在したとする。その場合、スイッチ制御装置５０は、接続した撮像装置１０からの本体情報に含まれる機種名を解析し、その機種名に対応するコミュニティの記憶装置を切り替えスイッチ５２に選択させる。
【００５０】
ユーザは、スイッチ制御装置５０が、撮影手法嗜好性、撮影被写体嗜好性、撮影レベル及び機種のうちのどれに応じてコミュニティを選択するかを予め指定できる。例えば、撮像装置１０をコミュニティサーバ４０にネットワーク６０を介して接続した際に、ユーザに選択させてもよい。又は、予め、撮像装置１０の本体情報の一部に、又は、コミュニティサーバ４０に設定しておいても良い。
【００５１】
撮影手法嗜好性、撮影被写体嗜好性、撮影レベル及び機種の組合せ方法をユーザが個別に指定できるようにすることも可能である。撮影嗜好性と撮影レベルを組み合わせたコミュニティが存在する場合、スイッチ制御装置５０は、撮影嗜好性及び撮影レベルが共に適合するコミュニティを選択する。例えば、撮影被写体嗜好性が「花」であり、撮影レベルが「初級」というコミュニティが存在したとすると、スイッチ制御装置５０は、撮影被写体嗜好性が「花」であり、且つ、撮影レベルが「初級」の場合に、このコミュニティの記憶装置を撮像装置に接続する。
【００５２】
以上のように、撮影者の撮影嗜好性や撮影レベル等に応じてコミュニティが選択されることにより、撮像装置１０は、撮影者の撮影嗜好性や撮影レベルに適合したコミュニティの記憶装置に接続される。そして、撮像装置１０の記録再生装置１４から、撮影者の撮影嗜好性や撮影レベルに適合したコミュニティの記憶装置に、撮像装置１０の撮影画像が転送される。また逆に、撮影者の撮影嗜好性や撮影レベルに適合したコミュニティの記憶装置から、撮像装置１０の記録再生装置１４に、当該コミュニティの記憶装置に記憶される共有画像が転送される。このようにして、撮影嗜好性及び撮影レベル等で特定されるコミュニティ内で、自己の撮影画像と他人の撮影画像を共有できる。
【００５３】
図９を参照して、カメラ撮影情報履歴及び被写体情報履歴の記録処理を説明する。
【００５４】
撮影が開始されると（Ｓ１１）、被写体判定装置１６は、撮影した映像に含まれる被写体を判定する（Ｓ１２）。被写体情報履歴記録装置２０が、被写体判定装置１６によって判定された被写体情報を内蔵記録媒体に蓄積記録する（Ｓ１３）。また、カメラ制御情報履歴記録装置２２が、カメラ部１２からのカメラ制御情報を内蔵記録媒体に逐次記録する（Ｓ１４）。以上のステップＳ１２〜Ｓ１４を撮影終了まで繰り返す（Ｓ１５）。
【００５５】
図１０は、撮影レベル及び撮影嗜好性に応じてコミュニティを選択する処理のフローチャートを示す。撮像装置１０は、そのメニュー画面等により、撮像装置１０をコミュニティサーバ４０に接続したときに、コミュニティサーバ４０のコミュニティを自動選択するか手動選択するかを予め設定できる。
【００５６】
撮像装置１０が、コミュニティサーバ４０にネットワーク６０を介して接続する（Ｓ２１）。コミュニティの自動選択／手動選択の設定を確認する（Ｓ２２）。手動選択が設定されている場合（Ｓ２２）、撮像装置１０のユーザは、撮像装置１０に装備されている各種の操作キーを使って、送信先のコミュニティ（記憶装置）を選択する（Ｓ２３）。
【００５７】
自動選択が設定されている場合（Ｓ２２）、撮影嗜好性判定装置２４は、カメラ制御情報履歴記録装置２２のカメラ制御情報履歴及び被写体情報履歴記録装置２０の被写体情報履歴から撮影嗜好性を判定し、判定結果をコミュニティサーバ４０に送信する（Ｓ２４）。撮影レベル判定装置２６は、カメラ制御情報履歴から撮影レベルを判定し、判定結果をコミュニティサーバ４０に送信する（Ｓ２５）。コミュニティサーバ４０のスイッチ制御装置５０は、撮像装置１０からの撮影嗜好性及び撮影レベルに従い、これらに適合するコミュニティの記憶装置を撮像装置１０に接続する。
【００５８】
このように手動又は自動で送信先の記憶装置が選択された後、撮像装置１０は、選択された記憶装置に撮影画像データを送信する。
【００５９】
コミュニティで公開する実施例を説明したが、本発明は、撮影嗜好性、撮影レベル及び本体情報の何れかに応じて、適切な保存先を自動選択してサーバにアップロードする場合にも適用可能である。即ち、コミュニティサーバ４０の代わりに、画像データを保存するファイルサーバであっても、本発明を適用できる。コミュニティサーバ４０はファイルサーバの一例である。
【図面の簡単な説明】
【００６０】
【図１】本発明の一実施例の概略構成ブロック図である。
【図２】カメラ部１２の概略構成ブロック図である。
【図３】カメラ制御情報履歴の例を示す図である。
【図４】被写体情報履歴の例を示す図である。
【図５】撮影レベル判定装置の動作を示すフローチャートである。
【図６】撮影レベルメータの模式図である。
【図７】ユーザ毎の撮影嗜好性及び撮影レベルの例を示す図である。
【図８】コミュニティの分類例を示す図である。
【図９】被写体情報及びカメラ制御情報を記録する動作を示すフローチャートである。
【図１０】コミュニティを選択する動作を示すフローチャートである。
【符号の説明】
【００６１】
１０  撮像装置
１２  カメラ部
１４  映像記録装置
１６  被写体判定装置
１８  記録媒体
２０  被写体情報履歴記録装置
２２  カメラ制御情報履歴記録装置
２４  撮影嗜好性判定装置
２６  撮影レベル判定装置
２８  表示装置
４０  コミュニティサーバ
４２  コミュニティＡの記憶装置
４４  コミュニティＢの記憶装置
４６  コミュニティＣの記憶装置
４８  コミュニティＤの記憶装置
５０  スイッチ制御装置
５２  切り替えスイッチ
６０  ネットワーク
７０  撮影レンズ
７２  撮像素子
７４  Ａ／Ｄ変換器
７６  カメラ信号処理装置
７８  カメラ制御装置
【図１】
2009194766.tif 000003
【図２】
2009194766.tif 000004
【図３】
2009194766.tif 000005
【図４】
2009194766.tif 000006
【図５】
2009194766.tif 000007
【図６】
2009194766.tif 000008
【図７】
2009194766.tif 000009
【図８】
2009194766.tif 000010
【図９】
2009194766.tif 000011
【図１０】
2009194766.tif 000012